(57)【要約】【課題】  スマートフォン等の携帯型情報機器を用いることにより、興趣に富む三次元映像を簡単かつ手軽に表示することができる三次元映像表示装置を得る。【解決手段】  台座１１と、この台座の上面中央部付近を三次元映像の表示位置とするように被冠して設けられ前記表示位置に三次元映像を結像する３Ｄスクリーンとなるように透明樹脂材により全体がほぼ角錐台形状を呈する形成されたスクリーン体１４と、これを覆う透明樹脂材からなる角形カバー１６とを備える。前記スクリーン体の頂部に携帯型情報機器２の表示面を載せることにより、スクリーン体の３Ｄスクリーンを介して台座上の表示位置（焚き木１２部分）に、表示面に表示されている映像を三次元映像として結像させるように構成されている。【選択図】図１
2018169597.tif 000002
【特許請求の範囲】
【請求項１】
台座と、この台座の上面中央部付近を三次元映像の表示位置とするように被冠して設けられ前記表示位置に三次元映像を結像する３Ｄスクリーンとなるように透明樹脂材により全体がほぼ角錐台形状を呈する形成されたスクリーン体とを備え、
前記スクリーン体の頂部に携帯型情報機器の表示面を載せることにより、前記スクリーン体の３Ｄスクリーンを介して前記台座上の表示位置に、前記表示面に表示されている映像を三次元映像として結像させるように構成されていることを特徴とする三次元映像表示装置。
【請求項２】
請求項１記載の三次元映像表示装置において、
前記スクリーン体を覆うように前記台座上に被冠して設けられる角形カバー体を備え、
この角形カバー体は、その上面部内側が前記スクリーン体の頂部に当接するように被冠して設けられることを特徴とする三次元映像表示装置。
【請求項３】
請求項１又は請求項２記載の三次元映像表示装置において、
前記スクリーン体は、３Ｄスクリーンとして傾斜して配置される傾斜面を備え、
これらの傾斜面の働きにより、前記携帯型情報機器の表示面に表示された映像を前記台座上の表示位置付近に投射させ、三次元映像を浮かんだ状態で結像させるように構成されていることを特徴とする三次元映像表示装置。
【請求項４】
請求項１ないし請求項３のいずれか１項に記載の三次元映像表示装置において、
前記三次元映像表示装置は、焚き火を模したインテリア小物であって、前記台座上の表示位置には、焚き木を模した小片材が載せられ、
前記携帯型情報機器の表示面に、焚き火を模した３Ｄ映像を表示させ、これを前記スクリーン体の３Ｄスクリーンを介して前記小片材付近に投射させることにより、焚き木が燃えているような三次元映像を表示できるように構成されていることを特徴とする三次元映像表示装置。
【請求項５】
請求項１ないし請求項４のいずれか１項に記載の三次元映像表示装置において、
前記携帯型情報機器がスマートフォンであり、前記角形カバー体は当該スマートフォンを載置可能に構成されていることを特徴とする三次元映像表示装置。
【発明の詳細な説明】
【技術分野】
【０００１】  本発明は、スマートフォン等の画面に表示された映像を利用して３Ｄ映像（三次元映像）を表示させることができる三次元映像表示装置に関する。
【背景技術】
【０００２】  スマートフォン等の携帯型情報機器における表示画面上に表示した三次元動画等を利用し、三次元映像を空間に浮かんで見えるように表示することができる三次元映像の表示装置が、従来から種々提案されている。【０００３】  例えば、特許文献１には、映像を表示させる表示画面の略中心に、透光材で形成されると共に、映像を反射させるスクリーン部と、これを収容する空間が形成される面を備え、且つ表示画面を臨ませる面及びスクリーン部で反射された映像を放射させる面が切欠かれる暗室部からなる映像表示装置を載せることにより、前記空間内に三次元映像を浮かせた状態で表示できるように構成されている。
【先行技術文献】
【特許文献】
【０００４】
【特許文献１】登実３２０３２９４号公報
【発明の概要】
【発明が解決しようとする課題】
【０００５】  上述した従来から知られている三次元映像の表示装置によれば、構造上からも、機能面でも一長一短があり、また使い勝手の面でも問題であり、これらの問題点を一掃し、希望に応じた三次元映像の表示を、手軽に、しかも簡単かつ確実に行えるような表示装置の出現が求められている。【０００６】  本発明はこのような事情に鑑みてなされたものであり、スマートフォン等の携帯型情報機器を用いることにより、所望の三次元映像を簡単かつ手軽に表示させることが可能で、しかもその映像を楽しむことができ、さらに映像に加えて音も生じさせ、視聴効果を発揮させることができ、興趣に富む表示が可能な三次元映像表示装置を得ることを目的としている。
【課題を解決するための手段】
【０００７】  このような目的に応えるために本発明（請求項１記載の発明）に係る三次元映像表示装置は、台座と、この台座の上面中央部付近を三次元映像の表示位置とするように被冠して設けられ前記表示位置に三次元映像を結像する３Ｄスクリーンとなるように透明樹脂材により全体がほぼ角錐台形状を呈する形成されたスクリーン体とを備え、前記スクリーン体の頂部に携帯型情報機器の表示面を載せることにより、前記スクリーン体の３Ｄスクリーンを介して前記台座上の表示位置に、前記表示面に表示されている映像を三次元映像として結像させるように構成されていることを特徴とする。【０００８】  本発明（請求項２記載の発明）に係る三次元映像表示装置は、請求項１において、前記スクリーン体を覆うように前記台座上に被冠して設けられる角形カバー体を備え、この角形カバー体は、その上面部内側が前記スクリーン体の頂部に当接するように被冠して設けられることを特徴とする。【０００９】  本発明（請求項３記載の発明）に係る三次元映像表示装置は、請求項１又は請求項２において、前記スクリーン体は、３Ｄスクリーンとして傾斜して配置される傾斜面を備え、これらの傾斜面の働きにより、前記携帯型情報機器の表示面に表示された映像を前記台座上の表示位置付近に投射させ、三次元映像を浮かんだ状態で結像させるように構成されていることを特徴とする。【００１０】  本発明（請求項４記載の発明）に係る三次元映像表示装置は、請求項１ないし請求項３のいずれか１項において、前記三次元映像表示装置は、焚き火を模したインテリア小物であって、前記台座上の表示位置には、焚き木を模した小片材が載せられ、前記携帯型情報機器の表示面に、焚き火を模した３Ｄ映像を表示させ、これを前記スクリーン体の３Ｄスクリーンを介して前記小片材付近に投射させることにより、焚き木が燃えているような三次元映像を表示できるように構成されていることを特徴とする。【００１１】  本発明（請求項５記載の発明）に係る三次元映像表示装置は、請求項１ないし請求項４のいずれか１項において、前記携帯型情報機器がスマートフォンであり、前記角形カバー体は当該スマートフォンを載置可能に構成されていることを特徴とする。【００１２】  このような構成によれば、台座上の表示位置付近に焚き木となる小片材を載せ、その上部を覆うように、三次元映像の投射空間を形成する３Ｄスクリーンとなるスクリーン体を載せ、さらにその上部に角形カバー体を載せる。そして、携帯型情報機器の表示面に所望の三次元映像を表示させて、角形カバー体の上面部に載置する。これにより、携帯型情報機器の表示面の映像は、スクリーン体を構成する傾斜面を通して前記台座上の表示位置付近に投射され、三次元映像を表示させることができる。【００１３】  例えば、本三次元映像表示装置を、焚き火を模したインテリア小物として用いる場合、台座上の焚き木の部分に、あたかも焚き木が燃えているように見える火焔を表示させることができ、擬似的な焚き火を楽しむことができる。したがって、三次元表示を手軽に、しかも効果的に行え、興趣に富む表示装置を得ることができる。
【発明の効果】
【００１４】  以上説明したように本発明に係る三次元映像表示装置によれば、台座上に載置した３Ｄスクリーンとなるスクリーン体の頂部にスマートフォン等の携帯型情報機器の表示面を載せることにより、当該表示面に表示された映像を、三次元映像として簡単かつ手軽に表示することができ、結果として興趣に富む三次元映像の表示が行える。【００１５】  特に、本発明に係る三次元映像表示装置によれば、この表示装置を、インテリア小物として焚き火表示用に用いることにより、擬似的に焚き火を表示し、これを楽しむことができるものである。【００１６】  また、本発明によれば、携帯型情報機器に、表示面上での表示に加えて、当該表示に合致するような音を生じさせるように構成することにより、三次元映像の表示に加えて、音を発生させ、興趣に富む視聴効果を発揮させることができる。
【図面の簡単な説明】
【００１７】
【図１】  （ａ），（ｂ）は本発明に係る三次元映像表示装置の一実施形態を示す概略正面図及び平面図である。
【図２】  本発明に係る三次元映像表示装置においての三次元映像の表示状態を説明するための説明図である。
【図３】  本発明に係る三次元映像表示装置を分解して示す概略斜視図である。
【図４】  本発明に係る三次元映像表示装置での表示部の表示状況を説明するための概略斜視図である。
【図５】  （ａ），（ｂ）は本発明に係る三次元映像表示装置の別の実施形態を示す断面図及び平面図である。
【発明を実施するための形態】
【００１８】  図１ないし図４は本発明に係る三次元映像表示装置の一実施形態を示す。
これらの図において、全体を符号１で示すものは三次元映像表示装置であり、この三次元映像表示装置１は、その上部にスマートフォン２等の多機能携帯情報端末（以下、携帯型情報機器という）の表示パネル面（以下、表示面という）を下向きにして載置することにより、当該表示パネル２ａに表示された映像を所要の表示位置に浮かんだ状態で表示することができる。
【００１９】  ここで、この実施形態では、本三次元映像表示装置１を焚き火を模した火焔Ｆの映像を表示するような焚き火表示用に用いた場合を説明する。
【００２０】  これを詳述すると、この三次元映像表示装置１は、図１ないし図３に示されるように、装置本体としての木製の台座１１と、この台座１１の上面１１ａ中央部付近を三次元映像の表示位置とするように被冠して設けられ前記表示位置１に三次元映像を結像する３Ｄスクリーンとなるように透明樹脂材により全体がほぼ角錐台形状を呈する形成されたスクリーン体１４とを備えている。
【００２１】  前記スクリーン体１４は、３Ｄスクリーンとして傾斜して配置される傾斜面を備えており、これらの傾斜面の働きにより、前記スマートフォン２の表示面２ａに表示された映像を前記台座１１上の表示位置付近に投射させ、三次元映像を浮かんだ状態で結像させるように構成されている。ここでは、スマートフォン２の表示面２ａの点対称な四カ所に、火焔Ｆを模した映像を表示し、それらをスクリーン体１４の角錐台形状で得られる４方の傾斜面を通して、表示位置付近に結像させることができるような構造であればよい。勿論、これらは、必要に応じて適宜変形、変更し得ることは言うまでもない。
【００２２】  １２は台座１１の上面１１ａの中央部付近に載せられた焚き木を模した小片材であり、これを台座１１上の所定箇所に載置させ、前記スクリーン体１４を被せることにより、図１、図２に示されるように、表示面２ａに表示した火焔Ｆを三次元映像として焚き木１２付近に投射させて表示することで、あたかも焚き木１２付近が燃えているかのような表示状態を得ることができるのである。
【００２３】  １６は前記スクリーン体１４を覆うように前記台座１１上に被冠して設けられる角形カバー体であり、この角形カバー体１６は、その上面部内側が前記スクリーン体の頂部に当接するように被冠して設けられる。そして、この角形カバー体１６の上面に前記スマートフォン２が表示面２ａを下向きにして載置可能に構成されている。
なお、ここでは、この角形カバー体１６は当該スマートフォン２を載置可能に構成されているが、その大きさなどを適宜変更すれば、適宜の携帯型情報機器に対応できることは言うまでもない。
【００２４】  このような構成によれば、図１、図２、図４等に示すように、台座１１上の表示位置付近に焚き木となる小片材１２を載せ、その上部を覆うように、三次元映像の投射空間を形成する３Ｄスクリーンとなるスクリーン体１４を載せ、さらにその上部に角形カバー体１６を載せる。そして、携帯型情報機器であるスマートフォン２の表示面２ａに、例えばＱＲコード等の読み取りを利用して所望の映像をダウンロードし、所望の三次元映像を表示させて、角形カバー体の上面部に載置する。これにより、携帯型情報機器の表示面の映像は、スクリーン体１４を構成する傾斜面を通して前記台座１１上の表示位置付近に投射され、所望の三次元映像を表示させることができるものである。
【００２５】  例えば、本三次元映像表示装置１を、焚き火を模したインテリア小物として用いる場合、台座上の焚き木１２の部分に、あたかも焚き木が燃えているように見える火焔Ｆを表示させることができ、これにより焚き木が燃えさかる焚き火としてリアルに見えるような三次元表示を手軽に、しかも効果的に行え、興趣に富む表示を行える。
なお、この場合、本三次元映像表示装置１は、例えば机、テーブルなどの安定した場所に載置し、焚き火とほぼ同じ高さに目を合わせて鑑賞するとよい。また、周囲を暗くすれば、より一層効果的な鑑賞が行える。
【００２６】  また、上述したスマートフォン２に、表示面２ａ上での表示に加えて、当該表示に合致するような音を生じさせるように構成することにより、三次元映像の表示に加えて、音を発生させ、興趣に富む視聴効果をより一層発揮させることができる。例えば焚き火である場合には、焚き火が燃えている状況を表す「パチパチ」といった擬音を流すことで、焚き火としての雰囲気をより一層効果的に高めることができる。
【００２７】  図５（ａ），（ｂ）は本発明に係る三次元映像表示装置１の別の実施形態を示す。
この実施形態では、前記台座１１の上部中央の表示部に上端部が開口する貫通孔１１ｂを設けるとともに、その開口端部分にＬＥＤチップ２１を設けている。そして、台座１１の下部空間部分にはリチウム電池２２が設けられ、さらに台座１１の側面部にはスイッチ２３が設けられている。
【００２８】  このような構成によれば、三次元映像表示装置１のみで使用し、たきぎ１２の間からＬＥＤチップ２１による明かりを見ることができ、あたかも火が燃えているように表示可能で、前述した実施形態のようにスマートフォン２等を用いた表示手法に加えて、装置１単独でも焚き火用のインテリア小物を得ることができるという利点もある。
【００２９】  ここで、上述したＬＥＤチップ２１は、これに限定されず、適宜の適宜の発光体であればよく、またリチウム電池２２やスイッチ２３としても、適宜の内部電源、さらには適宜の外部電源を用いるものであってもよく、種々の変形例が考えられる。
【００３０】  なお、本発明は上述した実施の形態で説明した構造には限定されず、三次元映像表示装置１を構成する各部の形状、構造等を適宜変形、変更し得ることはいうまでもない。
たとえば三次元映像の表示に用いる表示面をもつ携帯型情報機器２としては、携帯電話または携帯情報端末等であってもよく、具体的には、上記スマートフォンに加えて、タブレット型ＰＣ，デジタルフォトフレームや、携帯型ゲーム機，携帯型ブックリーダー，ＰＤＡ，電子辞書等でもよく、要は、表示パネル面を有し、その表示面に所望の映像を表示できるようなものであればよい。
【００３１】  この場合、使用する情報機器２のディスプレイ（表示面２ａ）の大きさに合わせて、本三次元映像表示装置１の大きさをそれを搭載可能な大きさに適宜変更することは言うまでもない。
また、このような携帯型情報機器２としては、前述したスマートフォン等と同様に、三次元映像の表示を行えるとともに、音発生装置を備え、適宜の音を映像に合わせて出力可能な機器であることが望ましい。
【００３２】  さらに、前述した実施形態では、三次元映像表示装置１において、スクリーン体１４の上方に携帯型情報機器２を、その表示面２ａを下向きにして載置するために、角形カバー体１６を用いているが、本発明はこれに限定されない。例えば、携帯型情報機器２をスクリーン体１４の上方に搭載した状態で支えることができる四本足の椅子等のような適宜の支持体構造をもつものであってもよい。要は、携帯型情報機器２をスクリーン体１４の上方で支えることが可能で、しかもデザイン的も好ましい構造をもつものであればよい。
【符号の説明】
【００３３】  １    三次元映像表示装置
２    携帯型情報機器（スマートフォン）
１１    台座
１２    焚き木
１４    スクリーン体
１６    角形カバー体
２１    ＬＥＤチップ
２２    リチウム電池
２３    スイッチ
Ｆ    火焔
【図１】
2018169597.tif 000003
【図２】
2018169597.tif 000004
【図３】
2018169597.tif 000005
【図４】
2018169597.tif 000006
【図５】
2018169597.tif 000007